(57)【要約】【課題】実施された起動操作方法に応じて動作モードを切り替えつつ電源を起動することが可能な電子装置を提供する。【解決手段】本発明の電子装置は、操作部と、画像／音声の再生処理を行う再生処理部と、画像／音声の記録処理を行う記録処理部と、電子装置に含まれる装置、例えば再生処理部の動作を制御する動作制御部とを備えている。再生処理部及び記録処理部は、複数の動作モードを備えている。動作制御部は、電子装置の待機状態において操作部により所定操作を検知した場合、例えば操作部に含まれるキーが所定時間を超過して連続的に押下されたことを検知した場合に、電子装置の電源を起動するとともに、検知した操作内容に対応する動作モードで動作するよう、再生処理部及び記録処理部を制御する。【選択図】図１
2012044586.tif 000002
【特許請求の範囲】
【請求項１】
操作指示を受け付ける操作部と、
画像または音声の再生処理を行う再生処理部と、
装置の動作を制御する動作制御部とを備えた電子装置において、
前記再生処理部は、予め定められた複数の動作形態を備えており、
前記動作制御部は、前記電子装置に含まれる装置の一部にのみ電源が供給されている状態である待機状態において前記操作部により予め定められた操作指示が検知された場合に、前記再生処理部の動作形態を前記操作指示に基づいて決定し、決定した該動作形態で動作するよう前記再生処理部を制御すること
を特徴とする電子装置。
【請求項２】
画像または音声の記録処理を行う記録処理部を備え、
前記動作制御部は、前記待機状態において前記操作部により予め定められた操作指示が検知された場合に、前記記録処理部の動作形態を前記操作指示に基づいて決定し、決定した該動作形態で動作するよう前記記録処理部を制御すること
を特徴とする請求項１に記載の電子装置。
【請求項３】
前記動作制御部は、前記待機状態において、前記操作部に含まれるキーが予め定められた時間を超過して連続的に押下されたことを検知した場合に、前記電子装置を起動状態へ移行させるとともに、前記再生処理部または前記記録処理部の動作形態を該キーの種別に基づいて決定し、決定した該動作形態で動作するよう前記再生処理部または前記記録処理部を制御すること
を特徴とする請求項２に記載の電子装置。
【請求項４】
前記電子装置は、記録部を備え、
前記記録部は、前記操作指示に応じて実施する前記再生処理部または前記記録処理部の動作形態を示す動作情報を記録しており、
前記動作制御部は、前記記録部より前記動作情報を読み出して参照することにより、前記再生処理部または前記記録処理部の動作形態を決定すること
を特徴とする請求項３に記載の電子装置。
【請求項５】
前記電子装置は、複数の記録再生装置を備え、
前記再生制御部または前記記録制御部は、再生または記録に使用する前記記録再生装置を、前記動作制御部から指示される前記動作形態に基づいて決定すること
を特徴とする請求項４に記載の電子装置。
【請求項６】
前記電子装置は、複数のチューナと、前記チューナに対する制御を行う受信制御部とを備え、
前記動作制御部は、前記待機状態において前記操作部により予め定められた操作指示が検知された場合に、前記電子装置を起動状態へ移行させるとともに、前記受信制御部が制御対象とするチューナを前記操作指示に基づいて決定し、決定したチューナの制御を行うよう前記受信制御部を制御すること
を特徴とする請求項５に記載の電子装置。
【発明の詳細な説明】
【技術分野】
【０００１】
本発明は、画像または音声の記録または再生を実施可能な電子装置に関するものであり、特に複数の動作モードを備えた電子装置に関する。
【背景技術】
【０００２】
近年、画像や音声の処理を行うための電子装置として、テレビジョン装置、ＶＣＲ（Video Cassette Recorder）、ＤＶＤ（Digital Versatile Disk）レコーダ、またはＨＤＤ（Hard Disk Drive）レコーダ等の電子装置が普及している。
【０００３】
これらの電子装置の中には、複数の動作モードを備えているものがある。例えば近年普及しているＨＤＤ内蔵ＤＶＤレコーダのように、複数の記録再生装置を一装置にまとめた電子装置では、使用する記録再生装置に応じた複数の動作モードが予め設けられている。例えばＨＤＤを用いて記録再生を行うＨＤＤモードや、ＤＶＤドライブを用いて記録再生を行うＤＶＤモード等の動作モードが設けられている。
【０００４】
また上記の他にも、複数の動作モードを備える電子装置が存在する。例えばテレビ装置等のように、地上デジタルチューナ、ＣＳチューナ、またはＢＳチューナといった複数のチューナを備えるものが存在する。このような電子装置は、動作させるチューナに応じた複数の動作モード、例えば地上デジタルモードやＣＳモード等が設けられている。
【０００５】
ユーザは使用する記録再生装置やチューナを切り替える場合、使用したい装置に対応する動作モードを選択することにより、切り替えを行う。なお動作モードの選択は例えば、予めリモコン装置等に設けられたモード選択キーをユーザが押下すること等により行われる。
【０００６】
上記のような電子装置は通常、電源停止時において、その時点での動作モードを示す情報をメモリ等に記録しておく。そして次回電源起動時に、この情報を参照することにより、前回電源停止時の動作モードで動作する。従ってユーザは、使用したい動作モードと前回電源停止時の動作モードとが異なる場合に、起動完了後に動作モードの変更操作を行う必要があり、煩わしさを感じるという問題があった。
【０００７】
上記の問題に関連して特許文献１には、操作されたキーに応じて操作モードを切り替えることにより、複合機を遠隔操作する際の操作性を向上させることを目的とした複合機用リモコン装置が開示されている。
【０００８】
この複合機用リモコン装置は、専用キーの操作に応じて、ユーザがこれから遠隔操作すると推測される記録部（第１の記録部、または第２の記録部）を判別し、判別された記録部を遠隔操作する操作モードに自動的に切り替える。
【０００９】
また上記の問題に関連して特許文献２には、ユーザが録画キー／再生キー／停止キーを用いて指示するだけで、既設モードやモード選択を表示して案内する電子装置が開示されている。
【００１０】
この電子装置は、ユーザの操作に応じて操作案内を表示することにより、ユーザの操作を補助する。特に、兼用キーによる操作時にその操作対象とする装置部のモード操作案内を出力表示してユーザに報知する。つまり、兼用キーが操作され、且つモード切り替えの可能性がある場合に、いずれのモードに切り替えるかの選択操作を促す。
【先行技術文献】
【特許文献】
【００１１】
【特許文献１】特開２００５−１９１９３２号公報
【特許文献２】特開２００６−３３８７４８号公報
【発明の概要】
【発明が解決しようとする課題】
【００１２】
上記のように特許文献１及び特許文献２には、電子装置の電源が起動している状態においてユーザ操作に応じて動作モードを切り替えたり、或いは動作モードの切り替えを補助したりする技術について開示されている。しかしながら、電子装置の電源起動時において実施された起動操作方法に応じて、動作モードを切り替える技術については開示も示唆もなされていない。
【００１３】
本発明の目的は、複数の動作モードを備え、且つ電源を起動するための起動操作方法が複数存在する電子装置であって、実施された起動操作方法に応じて動作モードを切り替えつつ電源を起動することが可能な電子装置を提供することにある。
【課題を解決するための手段】
【００１４】
上記目的を達成するために本発明の電子装置は、操作指示を受け付ける操作部と、画像または音声の再生処理を行う再生処理部と、装置の動作を制御する動作制御部とを備えた電子装置において、前記再生処理部は、予め定められた複数の動作形態を備えており、前記動作制御部は、前記電子装置に含まれる装置の一部にのみ電源が供給されている状態である待機状態において前記操作部により予め定められた操作指示が検知された場合に、前記再生処理部の動作形態を前記操作指示に基づいて決定し、決定した該動作形態で動作するよう前記再生処理部を制御することを特徴としている。
【００１５】
これによると、本発明の電子装置は、操作部と、画像／音声の再生処理を行う再生処理部と、電子装置に含まれる装置、例えば再生処理部の動作を制御する動作制御部とを備えている。再生処理部は、複数の動作モード（＝動作形態）を備えている。動作制御部は、電子装置の待機状態において操作部により所定操作を検知した場合に、電子装置の電源を起動するとともに、検知した操作内容に対応する動作モードで動作するよう、再生処理部を制御する。
【００１６】
また上記目的を達成するために本発明の電子装置は、画像または音声の記録処理を行う記録処理部を備え、前記動作制御部は、前記待機状態において前記操作部により予め定められた操作指示が検知された場合に、前記記録処理部の動作形態を前記操作指示に基づいて決定し、決定した該動作形態で動作するよう前記記録処理部を制御することを特徴としている。
【００１７】
これによると、本発明の電子装置は、画像／音声の記録処理を行う記録処理部を備えている。動作制御部は、電子装置の待機状態において操作部により所定操作を検知した場合に、電子装置の電源を起動するとともに、検知した操作内容に対応する動作モードで動作するよう、記録処理部を制御する。
【００１８】
また上記目的を達成するために本発明の電子装置が備える前記動作制御部は、前記待機状態において、前記操作部に含まれるキーが予め定められた時間を超過して連続的に押下されたことを検知した場合に、前記電子装置を起動状態へ移行させるとともに、前記再生処理部または前記記録処理部の動作形態を該キーの種別に基づいて決定し、決定した該動作形態で動作するよう前記再生処理部または前記記録処理部を制御することを特徴としている。
【００１９】
これによると、本発明の電子装置が備える動作制御部は、電子装置の待機状態において操作部に含まれるキーが所定時間を超過して連続的に押下されたことを検知した場合に、電子装置の電源を起動するとともに、当該キーの種別に応じた動作モードで動作するよう記録処理部または再生処理部を制御する。
【００２０】
また上記目的を達成するために本発明の電子装置は、記録部を備え、前記記録部は、前記操作指示に応じて実施する前記再生処理部または前記記録処理部の動作形態を示す動作情報を記録しており、前記動作制御部は、前記記録部より前記動作情報を読み出して参照することにより、前記再生処理部または前記記録処理部の動作形態を決定することを特徴としている。
【００２１】
これによると、本発明の電子装置は記録部を備えている。記録部は、待機状態において受け付けた操作と実施する動作形態との関係を示した動作情報を記録している。動作制御部は、記録部よりこの動作情報を読み出して参照することにより、待機状態において受け付けた操作に対応する動作形態を判別し、記録処理部または再生処理部の動作制御を行う。
【００２２】
また上記目的を達成するために本発明の電子装置は、複数の記録再生装置を備え、前記再生制御部または前記記録制御部は、再生または記録に使用する前記記録再生装置を、前記動作制御部から指示される前記動作形態に基づいて決定することを特徴としている。
【００２３】
これによると、本発明の電子装置は、複数の記録再生装置を備えている。再生制御部または記録制御部は、再生または記録に使用する記録再生装置を、動作制御部から指示される動作形態に基づいて決定する。これにより、動作形態が異なれば使用する記録再生装置も異なるものとなる。
【００２４】
また上記目的を達成するために本発明の電子装置は、複数のチューナと、前記チューナに対する制御を行う受信制御部とを備え、前記動作制御部は、前記待機状態において前記操作部により予め定められた操作指示が検知された場合に、前記電子装置を起動状態へ移行させるとともに、前記受信制御部が制御対象とするチューナを前記操作指示に基づいて決定し、決定したチューナの制御を行うよう前記受信制御部を制御することを特徴としている。
【００２５】
これによると、本発明の電子装置は複数のチューナを備えている。また、チューナに対して、受信動作や選局動作等の制御を行う受信制御部を備えている。動作制御部は、電子装置の待機状態において操作部により所定操作を検知した場合に、電子装置の電源を起動するとともに、検知した操作内容に対応するチューナを用いて放送受信や選局等を行うよう、受信制御部を制御する。
【発明の効果】
【００２６】
本発明によれば、ユーザが所望する動作形態で再生処理部や記録処理部を動作させつつ、電子装置の電源を起動することができる。このためユーザは、一旦電源を起動する操作を行った後に、改めて動作形態の切り替えを行う操作をする必要がないため、利便性の向上を図ることができる。
【００２７】
また本発明によれば、ユーザが所望するチューナで放送波の受信を行いつつ、電子装置の電源を起動することができる。このためユーザは、一旦電源を起動する操作を行った後に、改めてチューナの切り替えを行う操作をする必要がないため、利便性の向上を図ることができる。
【図面の簡単な説明】
【００２８】
【図１】本発明の第一の実施形態に係る機能部の構成を示すブロック図である。
【図２】本発明の第一の実施形態に係る電子装置の内部構成を示すブロック図である。
【図３】本発明の第一の実施形態に係るモード切替処理を示すフロー図である。
【図４】本発明の第一の実施形態に係るリモコンを示す模式図である。
【図５】本発明の第二の実施形態に係る機能部の構成を示すブロック図である。
【図６】本発明の第二の実施形態に係るモード切替処理を示すフロー図である。
【図７】本発明の第二の実施形態に係るリモコンを示す模式図である。
【発明を実施するための形態】
【００２９】
以下に本発明の一実施形態を、図面を参照しつつ説明する。なお、ここで示す実施形態は一例であり、本発明はここに示す実施形態に限定されるものではない。
【００３０】
〈１．内部構成について〉
図２は、本発明の第一の実施形態に係るコンパチブルレコーダ１（＝電子装置）の内部構成を示すブロック図である。なお、図２における矢印線は画像／音声データの流れを示している。また、矢印のない直線は、制御部１１が各装置に対する制御信号等を送受信するための通信バスを示している。
【００３１】
コンパチブルレコーダ１は少なくとも、制御部１１、メモリ１２（＝記録部）、操作部１３、ＨＤＤ１４（＝記録再生装置）、ＶＣＲ（Video Cassette Recorder）１５（＝記録再生装置）、光ディスクドライブ１６（＝記録再生装置）、放送受信部１７、信号処理部１８、ＯＳＤ（On-Screen Display）処理部１９、及び外部接続端子２０を含むように構成されている。なお外部接続端子２０により接続される表示装置として、ディスプレイ２が存在する。
【００３２】
制御部１１は、コンパチブルレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する録画再生部１１ａ〜設定部１１ｃ（図１）を備えている。
【００３３】
メモリ１２は、コンパチブルレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３４】
操作部１３は、ユーザがコンパチブルレコーダ１に対して、画像／音声の記録指示や動作モード（＝動作形態）の切り替え指示等を行うためのものである。操作部１３は、例えばコンパチブルレコーダ１のハウジングに設けられた複数のキーや、後述するリモコン９０から赤外線通信等によりリモコン信号を受信するリモコン信号受信部（不図示）等を含む。
【００３５】
操作部１３はこれらの装置により、ユーザ操作を受け付ける。ユーザ操作が受け付けられると、制御部１１は、操作内容に基づいて再生処理や記録処理等を行う。次に、リモコン９０について説明する。
【００３６】
リモコン９０は、例えば図４に示す外観をしている。図４は、リモコン９０の表面に備えられた操作キーの一例を示した模式図である。図４に示すように操作キーは、電源キー９１、モード切替キー９２、及び通常キー９３を含むように構成されている。
【００３７】
電源キー９１は、コンパチブルレコーダ１の主電源を起動させるリモコンコード（以下、「起動コード」という）を送信するためのキーである。モード切替キー９２は、コンパチブルレコーダ１に対して動作モードの切り替えを行うためのリモコンコード（以下、「切り替えコード」という）を送信するためのキーである。通常キー９３は上記以外のリモコンコードを送信するためのキーであり、例えば選局キーや音量調整キー等がこれに含まれる。
【００３８】
図４に示すようにモード切替キー９２には、ＤＶＤ選択キー、及びＨＤＤ選択キーが含まれている。ＤＶＤ選択キーがユーザにより押下されると、光ディスクドライブ１６を用いてＤＶＤに対する録画／再生を行うモード（以下、「ＤＶＤモード」という）への移行指示を含むリモコンコードが、コンパチブルレコーダ１に対して送信される。
【００３９】
ＨＤＤ１４は、デジタルデータを記録する磁気記録媒体である。ＨＤＤ１４は、複数の磁気ディスクを回転させつつ、アクチュエータによりヘッドを移動させることにより、データの記録や読み出しを行う。本実施形態では主に、放送波に含まれる画像／音声データから生成されるデジタル放送データを記録するのに用いられる。また、後述するＶＣＲ１５より入力されるアナログ放送データを記録する、いわゆるダビング処理に用いられる。
【００４０】
ＶＣＲ１５は、ビデオカセット（不図示）に対して画像／音声データの記録再生を行う記録再生装置である。ＶＣＲ１５は、複数のマイコンやカセットスロットを含むように構成される。カセットスロットは、ビデオカセットを装着して、データの記録／再生が可能な状態とするための装置である。カセットスロットは、磁気テープの回転を行うローラーや、データを記録／再生するための磁気ヘッド等を備えている。
【００４１】
ＶＣＲ１５によって再生されたアナログの画像／音声信号は、信号処理部１８に送られる。そしてデジタルの画像／音声信号に変換され、ＯＳＤ処理部１９や外部接続端子２０等へ与えられることにより、ディスプレイ２に表示可能である。
【００４２】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００４３】
放送受信部１７は、外部のアンテナ（不図示）に接続されてデジタル／アナログ放送の選局、受信、周波数変換、増幅、復調等を行う。放送受信部１７は、アナログ方式であればアナログチューナ、中間周波増幅回路、復調回路、及び増幅回路等を含むように構成されている。またデジタル方式であれば、デジタルチューナ、及び誤り訂正部等を含むように構成されている。
【００４４】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。
【００４５】
なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１４へ記録することも可能である。この場合、信号処理部１８はＴＳのスルーのみを行う。
【００４６】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４７】
そしてＰＥＳを結合することにより、ＥＳ（Elementary Stream＝符号化された音声／画像データ）を生成する。さらに信号処理部１８はＥＳの複合を行い、各種デジタル信号に変換する。複合により得られたデジタル信号は、記録する場合はＨＤＤ１４へ与えられる。またディスプレイ２等に出力する場合は、外部接続端子２０へ与えられる。
【００４８】
ＯＳＤ処理部１９は、画像信号を生成する機能部である。ＯＳＤ処理部１９は、コンパチブルレコーダ１が出力すべき情報をユーザが視認できる画像データに変換し、変換した画像データをディスプレイ２に表示するための画像信号を生成する。生成された画像信号は、外部接続端子２０より出力される。
【００４９】
外部接続端子２０は、例えばＨＤＭＩ（High Definition Multimedia Interface）端子やＵＳＢ（Universal Serial Bus）端子等を含む、複数の入出力端子からなるインタフェースである。外部接続端子２０はこれらの入出力端子を用いて、コンパチブルレコーダ１と外部の装置、例えばディスプレイ２を接続し、デジタル信号またアナログ信号の入出力を行う。
【００５０】
なお、アナログ信号を入力する場合は、不図示のＡ／Ｄコンバータ（Analog Digital Converter）を用いてアナログの画像データ及び音声データをデジタルデータに変換して入力することが可能である。
【００５１】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
〈１−２．機能部の構成について〉
【００５２】
ここで、本発明の第一の実施形態に係るコンパチブルレコーダ１がモード切替処理を実施するための各機能部の関係を、図１のブロック図を用いながら説明する。なお、図１における破線矢印線は、制御信号の流れを示している。
【００５３】
図１に示すように本発明のモード切替処理は、制御部１１が備える録画再生部１１（＝再生処理部、記録処理部）、モード切替部１１ｂ（＝動作制御部）、及び設定部１１ｃにより実施される。
【００５４】
録画再生部１１ａは、ＨＤＤ１４や放送受信部１７を制御することにより、放送波より得られる画像／音声を録画データとしてＨＤＤ１４に記録する処理（以降、「録画処理」という）を行う。また録画再生部１１ａは、ＨＤＤ１４や信号処理部１８を制御することにより、ＨＤＤ１４に記録されている録画データの再生処理を行う。
【００５５】
さらに録画再生部１１ａは、後述するモード切替部１１ｂや設定部１１ｃから受け付ける指示に基づき、予約録画処理を行う。予約録画処理は、モード切替部１１ｂや設定部１１ｃが生成する予約録画情報に基づいて行う。予約録画情報には、録画を行う時刻、チャンネル、番組名等が含まれている。録画再生部１１ａは、予約録画情報に示されている時刻が到来した時点で、放送受信部１７を制御して選局動作を行うことにより、予約録画処理を行う。
【００５６】
モード切替部１１ｂは、コンパチブルレコーダ１に対する電源の起動指示を検知した場合に、起動後に録画再生部１１ａが実施する動作モードの決定を行う。そして決定した動作モードで動作するよう、録画再生部１１ａに指示する。
【００５７】
モード切替部１１ｂは例えば、電源キー９１が押下されることにより発行される起動コードを検知した場合に、起動指示がなされたとみなす。またモード切替部１１ｂは、モード切替キー９２が押下されることにより発行される切り替えコードが所定時間、例えば２秒を超過して連続的に検知された場合に、起動指示がなされたとみなす。なお、起動時のモード切替処理の詳細については後述する。
【００５８】
設定部１１ｃは、録画再生部１１ａやモード切替部１１ｂが各種処理を行う際の設定情報をユーザより受け付ける。設定部１１ｃは例えば、録画再生部１１ａが予約録画処理を行うために必要な予約録画情報の入力を、操作部１３を介して受け付ける。また設定部１１ｃは、モード切替部１１ｂが電源起動時にモード切替を行うか否かに関する設定情報を、操作部１３を介して受け付ける。
【００５９】
設定部１１ｃは、これらの設定情報を受け付けるための設定画面をＯＳＤ処理部１９により生成し、外部接続端子２０を介してディスプレイ２に出力することにより、入力の待ち受けを行う。そして受け付けた設定情報を、メモリ１２等の記録媒体に記録する。
〈１−３．モード切替処理について〉
【００６０】
ここで、本発明の第一の実施形態に係るコンパチブルレコーダ１が実施するモード切替処理を、図３のフロー図を用いながら説明する。図３に示す処理は、コンパチブルレコーダ１が待機状態であり、且つコンパチブルレコーダ１に対する電源の起動指示が、モード切替部１１ｂにより検知された段階で開始される。
【００６１】
本処理の開始後、モード切替部１１ｂはステップＳ１１０において、電源の起動指示が発行された際に用いられたキーの種別を判別する。なおリモコン９０から受信したリモコンコードに基づいて起動指示がなされた場合、モード切替部１１ｂは操作部１３に含まれるリモコンコード受信器（不図示）により受信したリモコンコードの種別に基づいて、用いられたキーの種別を判別する。
【００６２】
次にモード切替部１１ｂはステップＳ１２０において、判別したキーが電源キーであるか否かに基づいて処理の分岐を行う。なお本実施形態における電源キーとは、例えばコンパチブルレコーダ１のハウジングに設けられた主電源キー（不図示）や、リモコン９０に含まれる電源キー９１を指すものとする。判別したキーが電源キーである場合、ステップＳ２００へ移行する。電源キーではない場合、ステップＳ１３０へ移行する。
【００６３】
ステップＳ２００へ移行した場合、モード切替部１１ｂは前回電源停止時の動作モードを判別する。そして前回電源停止時と同じ動作モードで動作するよう、録画再生部１１ａに指示した後、起動処理を行う。なお前回電源停止時の動作モードを示す情報は、前回電源停止時に制御部１１により生成されてメモリ１２等に記録されているものとする。モード切替部１１ｂはこの情報を読み出すことにより、上記判別を行う。
【００６４】
ステップＳ１３０へ移行した場合、モード切替部１１ｂは、判別したキーの種別がモード切替キーであるか否かに基づいて処理の分岐を行う。なお本実施形態におけるモード切替キーとは、例えばリモコン９０に含まれるモード切替キー９２を指すものとする。モード切替キーではない場合、ステップＳ２００へ移行する。モード切替キーである場合、ステップＳ１４０へ移行する。
【００６５】
ステップＳ１４０へ移行した場合、モード切替部１１ｂは、判別されたキーに対する特殊操作、例えば所定時間を超える長押し操作が検知されたか否かを判別する。なお通常の押下か長押しかの判定方法としては、例えばリモコン９０より受信するリモコンコードが所定時間を超過して連続的に受信された場合に、長押しされたとみなす方法を用いる。長押しが検知されていない場合、ステップＳ２００へ移行する。
【００６６】
長押しが検知された場合、モード切替部１１ｂはステップＳ１５０において、長押しされたキーに対応する動作モードを判別する。この判別は例えば、予めキーと動作モードとを関連付けた関連情報（＝動作情報）が工場出荷時にメモリ１２等に記録されており、この関連情報を読み出して参照することにより行う。
【００６７】
そして判別した動作モードで動作するよう、録画再生部１１ａへ指示した後、起動処理を行う。例えばモード切替キー９２に含まれるＤＶＤキーが長押しされたことにより電源起動した場合、ＤＶＤモードで動作するよう、録画再生部１１ａへ指示する。或いはモード切替キー９２に含まれるＨＤＤキーが長押しされたことにより電源起動した場合、ＨＤＤモードで動作するよう、録画再生部１１ａへ指示する。
【００６８】
以上に説明した本実施形態によれば、前回電源停止時の動作モードにかかわらず、ユーザが望む動作モードで起動することができる。このためユーザは、一旦電源を起動する操作を行った後に改めて動作モードの切り替え操作を行う必要がないため、利便性の向上を図ることができる。
[実施の形態２]
【００６９】
次に、本発明の第二の実施形態について説明する。
〈２−１．内部構成について〉
【００７０】
コンパチブルレコーダ１の本体部の構成は実施の形態１と同様であるが、リモコン９０の構造が実施の形態１と異なる。本実施形態のリモコン９０は、図７に示すように、実施の形態１の電源キー９１〜通常キー９３に加え、チューナ切替キー９４を含むように構成されている。
【００７１】
チューナ切替キー９４は、放送受信部１７に含まれる複数のチューナのうち、いずれのチューナを使用して放送波を受信するかを切り替えるためのキーである。図７に示すようにチューナ切替キー９４には、ＤＴＶ（地上デジタル放送）選択キー、ＣＳ放送選択キー、及びＢＳ放送選択キーが含まれている。
【００７２】
例えばＣＳ放送選択キーがユーザにより押下されると、ＣＳチューナを用いた受信を行うよう放送受信部１７へ指示するためのリモコンコードが、コンパチブルレコーダ１に対して送信される。
〈２−２．機能部の構成について〉
【００７３】
図５に示すように本実施形態の制御部１１は、受信制御部１１ｄを備えている。また、モード切替部１１ｂの機能が、実施の形態１と一部異なる。
【００７４】
受信制御部１１ｄは、放送受信部１７が放送波の受信に用いるチューナの切替制御を行う。また受信制御部１１ｄは、使用するチューナに応じた複数の動作モードを備えている。動作モードには、地上デジタル放送受信モード、ＣＳ放送受信モード、ＢＳ放送受信モード等が存在する。
【００７５】
例えば地上デジタル放送受信モードにおいて、受信制御部１１ｄは、地上デジタルチューナを用いて地上デジタル放送波を受信するよう放送受信部１７を制御するとともに、地上デジタル放送のＥＰＧを取得してメモリ１２等に記録する。
【００７６】
また、リモコン９０に含まれるテンキーの操作が検知された場合に、受信制御部１１ｄは予めテンキーに関連付けられている地上デジタル放送チャンネルを判別し、この放送チャンネルを選局するよう、放送受信部１７に指示する。従って地上デジタル放送受信モードにおいては、ＣＳ放送やＢＳ放送の選局が行われることがない。
【００７７】
逆にＣＳ放送受信モードにおいてテンキーの操作が検知された場合、受信制御部１１ｄは予めテンキーに関連付けられているＣＳデジタル放送チャンネルを判別し、この放送チャンネルを選局するよう、放送受信部１７に指示する。
【００７８】
次に、本実施形態のモード切替部１１ｂの動作について説明する。本実施形態のモード切替部１１ｂは、コンパチブルレコーダ１の起動時において、起動直後における受信制御部１１ｄの動作モードの決定を行う。そして決定した動作モードで動作するよう、受信制御部１１ｄを制御する。
〈２−３．モード切替処理について〉
【００７９】
ここで、本発明の第二の実施形態に係るコンパチブルレコーダ１が実施するモード切替処理を、図６のフロー図を用いながら説明する。なお、第一の実施形態の図３と同内容の処理については、同じステップ番号を付加することにより説明を省略するものとする。
【００８０】
ステップＳ１２０において、判別したキーが電源キーである場合、ステップＳ２０１へ移行する。電源キーではない場合、ステップＳ１３１へ移行する。ステップＳ２０１へ移行した場合、モード切替部１１ｂは前回電源停止時の受信制御部１１ｄの動作モードを判別する。そして前回電源停止時と同じ動作モードで動作するよう、受信制御部１１ｄへ指示した後、起動処理を行う。
【００８１】
ステップＳ１３１へ移行した場合、モード切替部１１ｂは、判別したキーの種別がチューナ切替キーであるか否かに基づいて処理の分岐を行う。なお本実施形態におけるチューナ切替キーとは、例えばリモコン９０に含まれるチューナ切替キー９４を指すものとする。チューナ切替キーではない場合、ステップＳ２０１へ移行する。チューナ切替キーである場合、ステップＳ１４０へ移行する。
【００８２】
ステップＳ１４０へ移行した場合、モード切替部１１ｂは、判別されたキーが所定時間を超えて長押しされたか否かを判別する。長押しが検知されていない場合、ステップＳ２０１へ移行する。
【００８３】
長押しが検知された場合、モード切替部１１ｂはステップＳ１５１において、長押しされたキーに対応する動作モードを判別する。そして判別した動作モードで動作するよう、受信制御部１１ｄへ指示した後、起動処理を行う。例えばチューナ切替キー９４に含まれるＣＳ放送選択キーが長押しされたことにより電源起動した場合、ＣＳ放送受信モードで動作するよう、受信制御部１１ｄへ指示する。
【００８４】
以上に説明した本実施形態によれば、前回電源停止時に使用されていたチューナにかかわらず、ユーザが望むチューナによる受信を行っている状態で起動することができる。このためユーザは、一旦電源を起動する操作を行った後に改めてチューナの切り替え操作を行う必要がないため、利便性の向上を図ることができる。
［その他の実施の形態］
【００８５】
以上、好ましい実施の形態及び実施例を挙げて本発明を説明したが、本発明は必ずしも上記実施の形態に限定されるものではなく、その技術的思想の範囲内において様々に変形して実施することができる。
【００８６】
従って本発明は、以下の形態にも適用可能である。
【００８７】
（Ａ）上記実施形態では、本発明の電子装置の一例としてコンパチブルレコーダ１を例に挙げているが、複数の動作モードを備えた電子装置であれば、これ以外の装置において本発明を実施する形態でもよい。例えばＢＤ／ＤＶＤレコーダ、テレビジョン装置、ＳＴＢ（Set Top Box）等を用いる形態であってもよい。
【００８８】
（Ｂ）上記実施形態では、本発明のモード切替処理に関わる各機能部が、マイクロプロセッサ等の演算処理装置上でプログラムを実行することにより実現されているが、各機能部が複数の回路により実現される形態でもよい。
【００８９】
（Ｃ）上記実施形態では、コンパチブルレコーダ１が備える動作モードとして、複数の記録再生装置を用いた動作モードや、複数のチューナを用いた動作モードを例に説明を行っているが、これ以外の動作モードを備える形態でもよい。例えばＳＤ（Secure Digital）カード等の半導体メモリに録画するＳＤモードや、ＢＤレコーダを用いた録画再生を行うＢＤモード、外部入力端子から画像／音声を入力する外部入力モード等を備える形態でもよい。この形態の場合、これらの動作モードに対応するモード切替キー９２がリモコン９０に備えられており、これらのモード切替キー９２の特殊操作を検知した場合に、電源起動及びモード切替を行う。
【００９０】
（Ｄ）上記実施形態では、モード切替キー９２やチューナ切替キー９４を用いて電源起動を行うための操作（＝特殊操作）の例として、２秒を超える長押しを例に説明を行っているが、これ以外の特殊操作が検知された場合に起動処理とモード切替とを併せて行う形態でもよい。例えば、１秒や３秒を超える長押しを、特殊操作とする形態でもよい。或いは、ダブルクリック操作のように、所定時間内に複数回のキー操作を検知する操作や、機能キー（不図示）等との同時押し操作を、上記の特殊操作とする形態でもよい。
【００９１】
（Ｅ）上記実施形態では、モード切替キー９２やチューナ切替キー９４がリモコン９０に設けられているが、これらのキーがリモコン装置９０以外の部材、例えばコンパチブルレコーダ１のハウジングに設けられている形態でもよい。
【符号の説明】
【００９２】
１      コンパチブルレコーダ（電子装置）
１１    制御部
１１ａ  録画再生部（再生処理部、記録処理部）
１１ｂ  モード切替部（動作制御部）
１１ｃ  設定部
１１ｄ  受信制御部
１２    メモリ（記録部）
１３    操作部
１４    ＨＤＤ（記録再生装置）
１５    ＶＣＲ（記録再生装置）
１６    光ディスクドライブ（記録再生装置）
１７    放送受信部（チューナ）
１８    信号処理部
１９    ＯＳＤ処理部
２０    外部接続端子
９０    リモコン
９１    電源キー
９２    モード切替キー
９３    通常キー
９４    チューナ切替キー
【図１】
2012044586.tif 000003
【図２】
2012044586.tif 000004
【図３】
2012044586.tif 000005
【図４】
2012044586.tif 000006
【図５】
2012044586.tif 000007
【図６】
2012044586.tif 000008
【図７】
2012044586.tif 000009